(57)【要約】  ページング方法、端末機器およびネットワーク機器を提供する。前記方法は、端末機器がネットワーク機器によって送信された指示情報を受信することであって、前記指示情報は、前記端末機器の現在のセルによって使用されるページング方式を指示するために使用されることと、前記端末機器が前記指示情報に従って、ページングメッセージを取得することとを含む。本発明の実施例では、ネットワーク機器は、指示情報を介して前記端末機器の現在のセルによって使用されるページング方式を指示し、端末機器が前記端末機器の現在のセルによって使用されるページング方式を区別するようにすることができ、さらに、ページングに関する情報を正しくデコーディングし、ページングメッセージを正しく取得することができる。
2021516483.tif 000002
【特許請求の範囲】
【請求項１】
ページング方法であって、
端末機器が、ネットワーク機器によって送信された指示情報を受信することであって、前記指示情報は、前記端末機器の現在のセルによって使用されるページング方式を指示するために使用されることと、
前記端末機器が前記指示情報に従って、ページングメッセージを取得することとを含むことを特徴とする、前記ページング方法。
【請求項２】
前記端末機器がネットワーク機器によって送信された指示情報を受信することは、
前記端末機器が前記ネットワーク機器によって送信されたシステム情報を受信することであって、前記システム情報は前記指示情報を含むことを含むことを特徴とする、
請求項１に記載のページング方法。
【請求項３】
前記端末機器がネットワーク機器によって送信された指示情報を受信することは、
前記端末機器が前記ネットワーク機器によって送信されたページング−無線ネットワーク一時識別子（Ｐ−ＲＮＴＩ）を使用してスクランブルされた物理ダウンリンク制御チャネル（ＰＤＣＣＨ）を受信することであって、前記ＰＤＣＣＨは前記指示情報を含むことを含むことを特徴とする、
請求項１に記載のページング方法。
【請求項４】
前記ＰＤＣＣＨは、前記ページングメッセージのスケジューリング情報をさらに含むことを特徴とする、
請求項３に記載のページング方法。
【請求項５】
前記端末機器がネットワーク機器によって送信された指示情報を受信することは、
前記端末機器が前記ネットワーク機器によって送信された第１メッセージを受信することを含み、前記第１メッセージは、前記指示情報および前記ページングメッセージを含み、
前記端末機器が前記指示情報に従って、ページングメッセージを取得することは、
前記端末機器が前記指示情報に従って、前記第１メッセージにおける前記ページングメッセージを取得することを含むことを特徴とする、
請求項１に記載のページング方法。
【請求項６】
前記ページング方式は、
第１ページング方式および第２ページング方式のいずれか１つのページング方式を含み、
前記第１ページング方式とは、コアネットワーク機器がアクセスネットワーク機器をトリガしてページングメッセージを配信し、ページングされた端末機器がシステムアーキテクチャ進化一時的移動加入者アイデンティティ（Ｓ−ＴＭＳＩ）を介して識別することを指し、前記第２ページング方式とは、コアネットワーク機器がアクセスネットワーク機器をトリガしてページングメッセージを配信し、ページングされた端末機器がページング指示（ＰＩ）を介して識別することを指すことを特徴とする、
請求項１ないし５のいずれか一項に記載のページング方法。
【請求項７】
ページング方法であって、
ネットワーク機器が指示情報を生成することであって、前記指示情報は、端末機器の現在のセルによって使用されるページング方式を指示するために使用されることと、
前記端末機器が前記指示情報に従って、ページングメッセージを取得するように、前記ネットワーク機器が前記端末機器に前記指示情報を送信することとを含むことを特徴とする、前記ページング方法。
【請求項８】
前記ネットワーク機器が前記端末機器に前記指示情報を送信することは、
前記ネットワーク機器が前記端末機器にシステム情報を送信することであって、前記システム情報は前記指示情報を含むことを含むことを特徴とする、
請求項７に記載のページング方法。
【請求項９】
前記ネットワーク機器が前記端末機器に前記指示情報を送信することは、
前記ネットワーク機器が、前記端末機器にページング−無線ネットワーク一時識別子（Ｐ−ＲＮＴＩ）を使用してスクランブルされた物理ダウンリンク制御チャネル（ＰＤＣＣＨ）を送信することであって、前記ＰＤＣＣＨは前記指示情報を含むことを含むことを特徴とする、
請求項７に記載のページング方法。
【請求項１０】
前記ＰＤＣＣＨは、前記ページングメッセージのスケジューリング情報をさらに含むことを特徴とする、
請求項９に記載のページング方法。
【請求項１１】
前記ネットワーク機器が前記端末機器に前記指示情報を送信することは、
前記端末機器が前記指示情報に従って、第１メッセージにおける前記ページングメッセージを取得するように、前記ネットワーク機器が前記端末機器に第１メッセージを送信することであって、前記第１メッセージは、前記指示情報および前記ページングメッセージを含むことを含むことを特徴とする、
請求項７に記載のページング方法。
【請求項１２】
前記ページング方式は、
第１ページング方式および第２ページング方式のいずれか１つのページング方式を含み、
前記第１ページング方式とは、コアネットワーク機器がアクセスネットワーク機器をトリガしてページングメッセージを配信し、ページングされた端末機器がシステムアーキテクチャ進化一時的移動加入者アイデンティティ（Ｓ−ＴＭＳＩ）を介して識別することを指し、前記第２ページング方式とは、コアネットワーク機器がアクセスネットワーク機器をトリガしてページングメッセージを配信し、ページングされた端末機器がページング指示（ＰＩ）を介して識別することを指すことを特徴とする、
請求項７ないし１１のいずれか一項に記載のページング方法。
【請求項１３】
端末機器であって、
ネットワーク機器によって送信された指示情報を受信するように構成される受信ユニットであって、前記指示情報は、前記端末機器の現在のセルによって使用されるページング方式を指示するために使用される受信ユニットと、
前記指示情報に従って、ページングメッセージを取得するように構成される取得ユニットとを含むことを特徴とする、前記端末機器。
【請求項１４】
前記受信ユニットは、具体的に、
前記ネットワーク機器によって送信されたシステム情報を受信するように構成され、前記システム情報は前記指示情報を含むことを特徴とする、
請求項１３に記載の端末機器。
【請求項１５】
前記受信ユニットは、具体的に、
前記ネットワーク機器によって送信されたページング−無線ネットワーク一時識別子（Ｐ−ＲＮＴＩ）を使用してスクランブルされた物理ダウンリンク制御チャネル（ＰＤＣＣＨ）を受信するように構成され、前記ＰＤＣＣＨは前記指示情報を含むことを特徴とする、
請求項１３に記載の端末機器。
【請求項１６】
前記ＰＤＣＣＨは、前記ページングメッセージのスケジューリング情報をさらに含むことを特徴とする、
請求項１５に記載の端末機器。
【請求項１７】
前記受信ユニットは、具体的に、
前記ネットワーク機器によって送信された第１メッセージを受信するように構成され、前記第１メッセージは、前記指示情報および前記ページングメッセージを含み、
前記取得ユニットは、具体的に、
前記指示情報に従って、前記第１メッセージにおける前記ページングメッセージを取得するように構成されることを特徴とする、
請求項１３に記載の端末機器。
【請求項１８】
前記ページング方式は、
第１ページング方式および第２ページング方式のいずれか１つのページング方式を含み、
前記第１ページング方式とは、コアネットワーク機器がアクセスネットワーク機器をトリガしてページングメッセージを配信し、ページングされた端末機器がシステムアーキテクチャ進化一時的移動加入者アイデンティティ（Ｓ−ＴＭＳＩ）を介して識別することを指し、前記第２ページング方式とは、コアネットワーク機器がアクセスネットワーク機器をトリガしてページングメッセージを配信し、ページングされた端末機器がページング指示（ＰＩ）を介して識別することを指すことを特徴とする、
請求項１３ないし１７のいずれか一項に記載の端末機器。
【請求項１９】
ページングするためのネットワーク機器であって、
指示情報を生成するように構成される生成ユニットであって、前記指示情報は、端末機器の現在のセルによって使用されるページング方式を指示するために使用される生成ユニットと、
前記端末機器が前記指示情報に従って、ページングメッセージを取得するように、前記端末機器に前記指示情報を送信するように構成される送信ユニットとを含むことを特徴とする、前記ページングするためのネットワーク機器。
【請求項２０】
前記送信ユニットは、具体的に、
前記端末機器にシステム情報を送信するように構成され、前記システム情報は前記指示情報を含むことを特徴とする、
請求項１９に記載のネットワーク機器。
【請求項２１】
前記送信ユニットは、具体的に、
前記端末機器にページング−無線ネットワーク一時識別子（Ｐ−ＲＮＴＩ）を使用してスクランブルされた物理ダウンリンク制御チャネル（ＰＤＣＣＨ）を送信するように構成され、前記ＰＤＣＣＨは前記指示情報を含むことを特徴とする、
請求項１９に記載のネットワーク機器。
【請求項２２】
前記ＰＤＣＣＨは、前記ページングメッセージのスケジューリング情報をさらに含むことを特徴とする、
請求項２１に記載のネットワーク機器。
【請求項２３】
前記送信ユニットは、具体的に、
前記端末機器が前記指示情報に従って、第１メッセージにおける前記ページングメッセージを取得するように、前記端末機器に第１メッセージを送信するように構成され、前記第１メッセージは、前記指示情報および前記ページングメッセージを含むことを特徴とする、
請求項１９に記載のネットワーク機器。
【請求項２４】
前記ページング方式は、
第１ページング方式および第２ページング方式のいずれか１つのページング方式を含み、
前記第１ページング方式とは、コアネットワーク機器がアクセスネットワーク機器をトリガしてページングメッセージを配信し、ページングされた端末機器がシステムアーキテクチャ進化一時的移動加入者アイデンティティ（Ｓ−ＴＭＳＩ）を介して識別することを指し、前記第２ページング方式とは、コアネットワーク機器がアクセスネットワーク機器をトリガしてページングメッセージを配信し、ページングされた端末機器がページング指示（ＰＩ）を介して識別することを指すことを特徴とする、
請求項１９ないし２３のいずれか一項に記載のネットワーク機器。
【発明の詳細な説明】
【技術分野】
【０００１】
本発明の実施例は、通信分野に関し、より具体的に、ページング方法、端末機器およびネットワーク機器に関する。
【背景技術】
【０００２】
スピード、遅延、高速モビリティ、エネルギ効率に対する人々の追求および未来の生活におけるサービスの多様性や複雑さに伴い、第３世代パートナーシッププロジェクト（３ＧＰＰ：Ｔｈｅ  ３ｒｄ  Ｇｅｎｅｒａｔｉｏｎ  Ｐａｒｔｎｅｒｓｈｉｐ  Ｐｒｏｊｅｃｔ）国際標準化機構は、第５世代モバイル通信技術（５Ｇ：５−Ｇｅｎｅｒａｔｉｏｎ）の開発を始めた。５Ｇの主な適用シナリオは、強化されたモバイルブロードバンド（ｅＭＢＢ：Ｅｎｈａｎｃｅ  Ｍｏｂｉｌｅ  Ｂｒｏａｄｂａｎｄ）、超高信頼・低遅延通信（ＵＲＬＬＣ：Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）、大規模マシンタイプ通信（ｍＭＴＣ：ｍａｓｓｉｖｅ  ｍａｃｈｉｎｅ  ｔｙｐｅ  ｏｆ  ｃｏｍｍｕｎｉｃａｔｉｏｎ）である。
【０００３】
５Ｇニューラジオ（ＮＲ：Ｎｅｗ  Ｒａｄｉｏ）が初期に展開されるとき、５Ｇ  ＮＲのユーザ機器（ＵＥ：Ｕｓｅｒ  Ｅｑｕｉｐｍｅｎｔ）は、ロングタームエボリューション（ＬＴＥ：Ｌｏｎｇ  Ｔｅｒｍ  Ｅｖｏｌｕｔｉｏｎ）のＵＥと同様に、まずコアネットワークでアタッチ登録を実行し、その後、コアネットワークにＵＥのコンテキスト情報があり、ここで、１つの情報はロケーションエリア情報（ＴＡ  ｌｉｓｔ）である。前記ＵＥのページングがある場合、コアネットワークは、前記ＴＡ  ｌｉｓｔに位置するすべての基地局にページングメッセージを配信し、これらの基地局をトリガして前記基地局配下のすべてのセルに前記ＵＥのページングを配信する。したがって、１つのＵＥのページング範囲は、少なくとも、１つのＴＡ  ｌｉｓｔの範囲内のすべてのセルにページングメッセージを配信する。
【０００４】
５Ｇ  ＮＲにおいて、セルはマルチビーム（ｂｅａｍ）フォームを使用するため、ＵＥをページングするためには、必ず、各セルの各ｂｅａｍでページングメッセージを配信する。高周波配置のセルの場合、例えば、６４個であるビームの数がより多いため、１つのセル内のページングで６４回送信する。このようにして、ネットワークのシグナリング負荷が増加する。したがって、基準上では、ページングシグナリング負荷を低下させる技術案、即ち、ページング指示に基づく技術案を提案する。ＵＥには、１つのページング指示が割り当てられ、複数のＵＥは、１つのページング指示に対応し、ＵＥは、まずページング指示を受信し、ＵＥが独自のページングメッセージがあると判断した場合、ＲＡＣＨを開始するプロセスで基地局にページングメッセージの送信を要求する。したがって、将来には、複数のページング技術案が存在する可能性があるが、従来のページング技術案は引き続き保持される。
【０００５】
したがって、ＵＥが現在のセルによって使用されるページング技術案を区別することは、解決すべき緊急の問題である。
【発明の概要】
【発明が解決しようとする課題】
【０００６】
端末機器が前記端末機器の現在のセルによって使用されるページング方式を区別するようにすることができる、ページング方法、端末機器およびネットワーク機器を提供する。
【課題を解決するための手段】
【０００７】
第１の態様によれば、ページング方法を提供し、前記方法は、
端末機器がネットワーク機器によって送信された指示情報を受信することであって、前記指示情報は、前記端末機器の現在のセルによって使用されるページング方式を指示するために使用されることと、
前記端末機器が前記指示情報に従って、ページングメッセージを取得することとを含む。
【０００８】
本発明の実施例では、ネットワーク機器は、指示情報を介して前記端末機器の現在のセルによって使用されるページング方式を指示し、端末機器が前記端末機器の現在のセルによって使用されるページング方式を区別するようにすることができ、さらに、ページングに関する情報を正しくデコーディングし、ページングメッセージを正しく取得することができる。
【０００９】
いくつかの実現可能な形態において、前記端末機器がネットワーク機器によって送信された指示情報を受信することは、
前記端末機器が前記ネットワーク機器によって送信されたシステム情報を受信することであって、前記システム情報は前記指示情報を含むことを含む。
【００１０】
いくつかの実現可能な形態において、前記端末機器がネットワーク機器によって送信された指示情報を受信することは、
前記端末機器が前記ネットワーク機器によって送信されたページング−無線ネットワーク一時識別子（Ｐ−ＲＮＴＩ）を使用してスクランブルされた物理ダウンリンク制御チャネル（ＰＤＣＣＨ）を受信することであって、前記ＰＤＣＣＨは前記指示情報を含むことを含む。
【００１１】
いくつかの実現可能な形態において、前記ＰＤＣＣＨは、前記ページングメッセージのスケジューリング情報をさらに含む。
【００１２】
いくつかの実現可能な形態において、前記端末機器がネットワーク機器によって送信された指示情報を受信することは、
前記端末機器が前記ネットワーク機器によって送信された第１メッセージを受信することを含み、前記第１メッセージは、前記指示情報および前記ページングメッセージを含み、
前記端末機器が前記指示情報に従って、ページングメッセージを取得することは、
前記端末機器が前記指示情報に従って、前記第１メッセージにおける前記ページングメッセージを取得することを含む。
【００１３】
いくつかの実現可能な形態において、前記ページング方式は、
第１ページング方式および第２ページング方式のいずれか１つのページング方式を含み、
ここで、前記第１ページング方式とは、コアネットワーク機器がアクセスネットワーク機器をトリガしてページングメッセージを配信し、ページングされた端末機器がシステムアーキテクチャ進化一時的移動加入者アイデンティティ（Ｓ−ＴＭＳＩ）を介して識別することを指し、前記第２ページング方式とは、コアネットワーク機器がアクセスネットワーク機器をトリガしてページングメッセージを配信し、ページングされた端末機器がページング指示（ＰＩ）を介して識別することを指す。
【００１４】
第２の態様によれば、ページング方法を提供し、前記方法は、
ネットワーク機器が指示情報を生成することであって、前記指示情報は、端末機器の現在のセルによって使用されるページング方式を指示するために使用されることと、
前記端末機器が前記指示情報に従って、ページングメッセージを取得するように、前記ネットワーク機器が前記端末機器に前記指示情報を送信することとを含む。
【００１５】
いくつかの実現可能な形態において、前記ネットワーク機器が前記端末機器に前記指示情報を送信することは、
前記ネットワーク機器が前記端末機器にシステム情報を送信することであって、前記システム情報は前記指示情報を含むことを含む。
【００１６】
いくつかの実現可能な形態において、前記ネットワーク機器が前記端末機器に前記指示情報を送信することは、
前記ネットワーク機器が、前記端末機器にページング−無線ネットワーク一時識別子（Ｐ−ＲＮＴＩ）を使用してスクランブルされた物理ダウンリンク制御チャネル（ＰＤＣＣＨ）を送信することであって、前記ＰＤＣＣＨは前記指示情報を含むことを含む。
【００１７】
いくつかの実現可能な形態において、前記ＰＤＣＣＨは、前記ページングメッセージのスケジューリング情報をさらに含む。
【００１８】
いくつかの実現可能な形態において、前記ネットワーク機器が前記端末機器に前記指示情報を送信することは、
前記端末機器が前記指示情報に従って、前記第１メッセージにおける前記ページングメッセージを取得するように、前記ネットワーク機器が前記端末機器に第１メッセージを送信することであって、前記第１メッセージは、前記指示情報および前記ページングメッセージを含むことを含む。
【００１９】
いくつかの実現可能な形態において、前記ページング方式は、
第１ページング方式および第２ページング方式のいずれか１つのページング方式を含み、
前記第１ページング方式とは、コアネットワーク機器がアクセスネットワーク機器をトリガしてページングメッセージを配信し、ページングされた端末機器がシステムアーキテクチャ進化一時的移動加入者アイデンティティ（Ｓ−ＴＭＳＩ）を介して識別することを指し、前記第２ページング方式とは、コアネットワーク機器がアクセスネットワーク機器をトリガしてページングメッセージを配信し、ページングされた端末機器がページング指示（ＰＩ）を介して識別することを指す。
【００２０】
第３の態様によれば、端末機器を提供し、前記端末機器は、
ネットワーク機器によって送信された指示情報を受信するように構成される受信ユニットであって、前記指示情報は、前記端末機器の現在のセルによって使用されるページング方式を指示するために使用される受信ユニットと、
前記指示情報に従って、ページングメッセージを取得するように構成される取得ユニットとを含む。
【００２１】
第４の態様によれば、端末機器を提供し、前記端末機器は、
ネットワーク機器によって送信された指示情報を受信するように構成されるトランシーバであって、前記指示情報は、前記端末機器の現在のセルによって使用されるページング方式を指示するために使用されるトランシーバと、
前記指示情報に従って、ページングメッセージを取得するように構成されるプロセッサとを含む。
【００２２】
第５の態様によれば、ネットワーク機器を提供し、前記ネットワーク機器は、
指示情報を生成するように構成される生成ユニットであって、前記指示情報は、端末機器の現在のセルによって使用されるページング方式を指示するために使用される生成ユニットと、
前記端末機器が前記指示情報に従って、ページングメッセージを取得するように、前記端末機器に前記指示情報を送信するように構成される送信ユニットとを含む。
【００２３】
第６の態様によれば、ネットワーク機器を提供し、前記ネットワーク機器は、
指示情報を生成するように構成されるプロセッサであって、前記指示情報は、端末機器の現在のセルによって使用されるページング方式を指示するために使用されるプロセッサと、
前記端末機器が前記指示情報に従って、ページングメッセージを取得するように、前記端末機器に前記指示情報を送信するように構成されるトランシーバとを含む。
【００２４】
第７の態様によれば、コンピュータプログラムを記憶したコンピュータ読み取り可能な媒体を提供し、前記コンピュータプログラムは、上記の第１の態様または第２の態様の方法の実施例を実行するための命令を含む。
【００２５】
第８の態様によれば、コンピュータチップを提供し、前記コンピュータチップは、入力インターフェース、出力インターフェース、少なくとも１つのプロセッサ、メモリを含み、前記プロセッサは、前記メモリのコードを実行するように構成され、前記コードが実行されると、前記プロセッサは、上記の第１の態様または第２の態様のページング方法における、端末機器によって実行される各プロセスを実現することができる。
【００２６】
第９の態様によれば、コンピュータチップを提供し、前記コンピュータチップは、入力インターフェース、出力インターフェース、少なくとも１つのプロセッサ、メモリを含み、前記プロセッサは、前記メモリのコードを実行するように構成され、前記コードが実行されると、前記プロセッサは、上記の第１の態様または第２の態様のページング方法における、ネットワーク機器によって実行される各プロセスを実現することができる。
【００２７】
第１０の態様によれば、通信システムを提供し、前記通信システムは、上記に記載のネットワーク機器および端末機器を含む。
【図面の簡単な説明】
【００２８】
【図１】本発明の適用シナリオの例である。
【図２】本発明の実施例のページング方法の例示的なフローチャートである。
【図３】本発明の実施例の端末機器の例示的なブロック図である。
【図４】本発明の実施例の別の端末機器の例示的なブロック図である。
【図５】本発明の実施例のネットワーク機器の例示的なブロック図である。
【図６】本発明の実施例の別のネットワーク機器の例示的なブロック図である。
【発明を実施するための形態】
【００２９】
図１は、本発明の実施例の適用シナリオの例示図である。
【００３０】
図１に示されたように、通信システム１００は、端末機器１１０およびネットワーク機器１２０を含み得る。ネットワーク機器１２０は、エアインターフェースを介して端末機器１００と通信することができる。端末機器１１０とネットワーク機器１２０の間は、マルチサービス伝送がサポートされる。
【００３１】
本発明の実施例は通信システム１００のみで例示的に説明されているが、本発明の実施例はこれに限定されないことを理解されたい。即ち、本発明の実施例の技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ時分割二重化（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）など様々な通信システムに適用されることができる。
【００３２】
さらに、本発明はネットワーク機器と端末機器を合わせて、各実施例を説明する。
【００３３】
ここで、ネットワーク機器１２０は信号を送信または受信するためのネットワーク側のいずれか１つのエンティティを指し得る。例えば、マシンタイプ通信（ＭＴＣ）のユーザ機器、ＧＳＭまたはＣＤＭＡの基地局（ＢＴＳ：Ｂａｓｅ  Ｔｒａｎｓｃｅｉｖｅｒ  Ｓｔａｔｉｏｎ）、ＷＣＤＭＡの基地局（ＮｏｄｅＢ）、ＬＴＥの進化型の基地局（ｅＮＢまたはｅＮｏｄｅＢ：Ｅｖｏｌｕｔｉｏｎａｌ  Ｎｏｄｅ  Ｂ）、５Ｇネットワークの基地局機器など様々なネットワーク機器であってもよい。
【００３４】
端末機器１１０は、任意の端末機器であってもよい。具体的に、端末機器１１０は無線アクセスネットワーク（ＲＡＮ：Ｒａｄｉｏ  Ａｃｃｅｓｓ  Ｎｅｔｗｏｒｋ）を介して１つまたは複数のコアネットワーク（Ｃｏｒｅ  Ｎｅｔｗｏｒｋ）と通信することができ、アクセス端末、ユーザ機器（ＵＥ：Ｕｓｅｒ  Ｅｑｕｉｐｍｅｎｔ）、ユーザユニット、ユーザステーション、モバイルステーション、移動局、リモートステーション、遠隔端末、モバイルデバイス、ユーザ装置、端末、無線通信デバイス、ユーザエージェント、またはユーザデバイスとも呼ばれる。例えば、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび５Ｇネットワークの端末機器などであってもよい。
【００３５】
通信システム１００が５Ｇニューラジオ（ＮＲ：Ｎｅｗ  Ｒａｄｉｏ）通信システムを含む場合、例えば、５Ｇ通信システムおよび第１通信システムで構成されるハイブリッド展開シナリオなどであることを理解することができる。ここで、前記第１通信システムは、例えば、ロングタームエボリューション（ＬＴＥ：Ｌｏｎｇ  Ｔｅｒｍ  Ｅｖｏｌｕｔｉｏｎ）システム、ＬＴＥ周波数分割二重（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）などの任意の通信システムであってもよい。５Ｇ  ＮＲのユーザ機器（ＵＥ：Ｕｓｅｒ  Ｅｑｕｉｐｍｅｎｔ）は、ロングタームエボリューション（ＬＴＥ：Ｌｏｎｇ  Ｔｅｒｍ  Ｅｖｏｌｕｔｉｏｎ）のＵＥと同様に、まずコアネットワークでアタッチ登録を実行し、その後、コアネットワークにＵＥのコンテキスト情報があり、ここで、１つの情報はロケーションエリア情報（ＴＡ  ｌｉｓｔ）であり、前記ＵＥのページングがある場合、コアネットワークは、前記ＴＡ  ｌｉｓｔに位置するすべての基地局にページングメッセージを配信し、これらの基地局をトリガして前記基地局配下のすべてのセルに前記ＵＥのページングを配信する。したがって、ＵＥのページング範囲は、少なくとも、１つのＴＡ  ｌｉｓｔであり、範囲内のすべてのセルにページングメッセージを配信する。
【００３６】
しかし、５Ｇ  ＮＲにおいて、セルはマルチビーム（ｂｅａｍ）の形を使用することにより、ＵＥをページングするために、必ず、各セルの各ｂｅａｍでページングメッセージを配信する。高周波配置のセルにおいて、例えば、６４個であるビームの数がより多いため、１つのセル内のページングで６４回送信する。このようにして、ネットワークのシグナリング負荷が増加する。したがって、基準上では、ページングシグナリング負荷を低下する技術案、即ち、ページング指示に基づく技術案を提案する。ＵＥには、１つのページング指示が割り当てられ、複数のＵＥは、１つのページング指示に対応し、ＵＥは、まずページング指示を受信し、ＵＥが独自のページングメッセージがあると判断した場合ランダムアクセスチャネル（ＲＡＣＨ：Ｒａｎｄｏｍ  Ａｃｃｅｓｓ  Ｃｈａｎｎｅｌ）を開始するプロセスで基地局にページングメッセージの送信を要求する。したがって、将来には、複数のページング技術案が存在する可能性があるが、従来のページング技術案は引き続き保持される。したがって、ＵＥが現在のセルによって使用されるページング技術案を区別することは、解決すべき緊急の問題である。
【００３７】
上記の技術的課題を解決するために、本発明の実施例は、端末機器が前記端末機器の現在のセルによって使用されるページング方式を区別するようにすることができる、ページング方法を提供する。
【００３８】
図２は、本発明の実施例のページング方法の例示的なフローチャートである。
【００３９】
具体的に言うと、図２に示されたように、前記方法は、
ステップ２１０において、ネットワーク機器は、指示情報を生成し、前記指示情報は、端末機器の現在のセルによって使用されるページング方式を指示するために使用される。
【００４０】
ステップ２２０において、前記ネットワーク機器は、前記端末機器に前記指示情報を送信する。
【００４１】
ステップ２３０において、前記端末機器は、前記指示情報に従って、ページングメッセージを取得する。
【００４２】
具体的に、コアネットワーク（ＣＮ：Ｃｏｒｅ  Ｎｅｔｗｏｒｋ）がアクセスネットワークにページングメッセージを送信する場合、無線ネットワークコントローラ（ＲＮＣ：Ｒａｄｉｏ  Ｎｅｔｗｏｒｋ  Ｃｏｎｔｒｏｌｌｅｒ）など、ＵＥが位置するルーティングエリアまたはローカルロケーションエリア範囲内のすべてのアクセスネットワーク機器に、ページングメッセージを送信し、アクセスネットワーク機器が受信した後、アクセスネットワーク配下のすべてのセルはＵＥにページングを送信する。本発明の実施例では、ネットワーク機器は、指示情報を介して前記端末機器の現在のセルによって使用されるページング方式を指示し、端末機器がページングメッセージを受信することができる前に、前記端末機器の現在のセルによって使用されるページング方式を区別するようにすることができ、さらに、ページングに関する情報を正しくデコーディングし、ページングメッセージを正しく取得することができる。
【００４３】
本発明の実施例に関する前記ページング方式は、
第１ページング方式および第２ページング方式を含むが、これらに限定されないことを理解されたい。
【００４４】
ここで、前記第１ページング方式とは、コアネットワーク機器がアクセスネットワーク機器をトリガしてページングメッセージを配信し、ページングされた端末機器がシステムアーキテクチャ進化一時的移動加入者アイデンティティ（Ｓ−ＴＭＳＩ：ＳＡＥ−Ｔｅｍｐｏｒａｒｙ  Ｍｏｂｉｌｅ  Ｓｕｂｓｃｒｉｂｅｒ  Ｉｄｅｎｔｉｔｙ）を介して識別することを指し、前記第２ページング方式とは、コアネットワーク機器がアクセスネットワーク機器をトリガしてページングメッセージを配信し、ページングされた端末機器がページング指示（ＰＩ：Ｐａｇｉｎｇ  ｉｎｄｉｃａｔｏｒ）を介して識別することを指す。
【００４５】
本発明の実施例において、「第１」および「第２」という用語は、異なるページング方式を区別するためにのみ使用され、本発明の実施例に対して限定するものではない。
【００４６】
以上は、第１ページング方式および第２ページング方式に対する例示的な説明にすぎず、本発明の実施例は、これらに限定されないことも理解されたい。
【００４７】
例えば、本発明の実施例において、ページングされた端末機器は、国際移動体加入者識別子（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）、一時的ＩＭＳＩ（ＴＩＭＳＩ：Ｔｅｍｐｏｒａｒｙ  ＩＭＳＩ）、パケット−一時的移動体加入者識別子（Ｐ−ＴＭＳＩ：Ｐａｃｋｅｔ−Ｔｅｍｐｏｒａｒｙ  Ｍｏｂｉｌｅ  Ｓｕｂｓｃｒｉｂｅｒ  Ｉｄｅｎｔｉｔｙ）または国際移動体装置識別子（ＩＭＥＩ：Ｉｎｔｅｒｎａｔｉｏｎａｌ  Ｍｏｂｉｌｅ  Ｅｑｕｉｐｍｅｎｔ  Ｉｄｅｎｔｉｔｙ）を介して識別することもできる。
【００４８】
以下、前記指示情報の送信または受信方式に対して例示的な説明を行い、ネットワークが前記端末機器に前記指示情報を送信する方式は、端末機器が前記指示情報を受信する方式と類似し、繰り返すことを避けるため、以下、前記端末機器が前記指示情報を受信する実現形態を例として例示的な説明を行う。
【００４９】
一実施例において、前記端末機器は、前記ネットワーク機器によって送信されたシステム情報（Ｓｙｓｔｅｍ  Ｉｎｆｏｒｍａｔｉｏｎ、ＳＩ）を受信し、前記システム情報は前記指示情報を含み得る。言い換えると、前記ネットワーク機器は、システムブロードキャストを介して前記指示をＵＥに送信する。ＵＥは、システムブロードキャストを読み取ることによりページング方式の指示情報を取得し、さらにページングメッセージを取得する。
【００５０】
別の実施例において、前記端末機器は、前記ネットワーク機器によって送信された、ページング−無線ネットワーク一時識別子（Ｐ  −ＲＮＴＩ：Ｐａｇｉｎｇ  Ｒａｄｉｏ  Ｎｅｔｗｏｒｋ  Ｔｅｍｐｏｒａｒｙ  Ｉｄｅｎｔｉｆｉｅｒ）を使用してスクランブルされた物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を受信し、前記ＰＤＣＣＨは前記指示情報を含み得る。即ち、前記ネットワーク機器は、Ｐ−ＲＮＴＩを使用してスクランブルされたＰＤＣＣＨにページング方式の指示を搬送し、前記端末機器の現在のセルのページング方式により、したがって、端末機器がページングメッセージを受信する前に、Ｐ−ＲＮＴＩをデコーディングしてスクランブルされたＰＤＣＣＨを介してページング方式を取得し、さらに、ページングメッセージを取得するようにすることができる。
【００５１】
さらに、前記ＰＤＣＣＨは、前記ページングメッセージのスケジューリング情報をさらに含み得る。
【００５２】
具体的に、本発明の実施例におけるスケジューリング情報は、前記ページングメッセージの物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）のリソース位置を指示するために使用されることができ、したがって、端末機器は、前記リソース位置に基づいて前記ページングメッセージを受信することができる。
【００５３】
別の実施例において、前記端末機器は、前記ネットワーク機器によって送信された第１メッセージを受信することができ、前記第１メッセージは、前記指示情報および前記ページングメッセージを含み、ここで、前記端末機器が前記指示情報に従って、前記第１メッセージにおける前記ページングメッセージを取得する。即ち、前記ネットワーク機器は、ページングメッセージにページング方式の指示を搬送することにより、さらに、前記端末機器は、ページングメッセージをデコーディングすることにより、ページング方式および対応するページングのコンテンツを取得することができる。
【００５４】
以上に関する指示情報の送信または受信方式は単なる例示的な説明にすぎず、本発明の実施例は、これらに限定されないことも理解されたい。
【００５５】
図３は、本発明の実施例の端末機器の例示的なブロック図である。
【００５６】
具体的に言うと、図３に示されたように、前記端末機器は、
ネットワーク機器によって送信された指示情報を受信するように構成される受信ユニット３１０であって、前記指示情報は、前記端末機器の現在のセルによって使用されるページング方式を指示するために使用される受信ユニット３１０と、前記指示情報に従って、ページングメッセージを取得するように構成される取得ユニット３２０とを含み得る。
【００５７】
例示的に、前記受信ユニット３１０は、具体的に、
前記ネットワーク機器によって送信されたシステム情報を受信するように構成され、前記システム情報は前記指示情報を含む。
【００５８】
例示的に、前記受信ユニット３１０は、具体的に、
前記ネットワーク機器によって送信されたページング−無線ネットワーク一時識別子（Ｐ−ＲＮＴＩ）を使用してスクランブルされた物理ダウンリンク制御チャネル（ＰＤＣＣＨ）を受信するように構成され、前記ＰＤＣＣＨは前記指示情報を含む。
【００５９】
例示的に、前記ＰＤＣＣＨは、前記ページングメッセージのスケジューリング情報をさらに含む。
【００６０】
例示的に、前記受信ユニット３１０は、具体的に、
前記ネットワーク機器によって送信された第１メッセージを受信するように構成され、前記第１メッセージは、前記指示情報および前記ページングメッセージを含み、ここで、前記取得ユニット３２０は、具体的に、
前記指示情報に従って、前記第１メッセージにおける前記ページングメッセージを取得するように構成される。
【００６１】
例示的に、前記ページング方式は、
第１ページング方式および第２ページング方式のいずれか１つのページング方式を含み、
ここで、前記第１ページング方式とは、コアネットワーク機器がアクセスネットワーク機器をトリガしてページングメッセージを配信し、ページングされた端末機器がシステムアーキテクチャ進化一時的移動加入者アイデンティティ（Ｓ−ＴＭＳＩ）を介して識別することを指し、前記第２ページング方式とは、コアネットワーク機器がアクセスネットワーク機器をトリガしてページングメッセージを配信し、ページングされた端末機器がページング指示（ＰＩ）を介して識別することを指す。
【００６２】
本発明の実施例では、受信ユニット３１０は、トランシーバによって実現されることができ、前記取得ユニット３２０は、プロセッサによって実現されることができる。図４に示されたように、端末機器４００は、プロセッサ４１０、トランシーバ４２０およびメモリ４３０を含み得る。ここで、メモリ４３０は、指示情報を記憶するように構成されてもよく、プロセッサ４１０によって実行されるコード、命令などを記憶するように構成されてもよい。端末機器４００における各構成要素は、バスシステムにより接続され、ここで、バスシステムは、データバスに加えて、電力バス、制御バス、および状態信号バスを含む。
【００６３】
図４に示された端末機器４００は、前記方法の実施例における端末機器によって実現される各プロセスを実現することができ、繰り返しを避けるために、ここでは繰り返さない。
【００６４】
図５は、本発明の実施例のネットワーク機器の例示的なブロック図である。
【００６５】
具体的に言うと、図５に示されたように、前記ネットワーク機器は、
指示情報を生成するように構成される生成ユニット５１０であって、前記指示情報は、端末機器の現在のセルによって使用されるページング方式を指示するために使用される生成ユニット５１０と、前記端末機器が前記指示情報に従って、ページングメッセージを取得するように、前記端末機器に前記指示情報を送信するように構成される送信ユニット５２０とを含む。
【００６６】
例示的に、前記送信ユニット５２０は、具体的に、
前記端末機器にシステム情報を送信するように構成され、前記システム情報は前記指示情報を含む。
【００６７】
例示的に、前記送信ユニット５２０は、具体的に、
前記端末機器にページング−無線ネットワーク一時識別子（Ｐ−ＲＮＴＩ）を使用してスクランブルされた物理ダウンリンク制御チャネル（ＰＤＣＣＨ）を送信するように構成され、前記ＰＤＣＣＨは前記指示情報を含む。
【００６８】
例示的に、前記ＰＤＣＣＨは、前記ページングメッセージのスケジューリング情報をさらに含む。
【００６９】
例示的に、前記送信ユニット５２０は、具体的に、
前記第１メッセージにおける前記ページングメッセージを取得するように、前記端末機器に第１メッセージを送信するように構成され、前記端末機器が前記指示情報に従って、前記第１メッセージは、前記指示情報および前記ページングメッセージを含む。
【００７０】
例示的に、前記ページング方式は、
第１ページング方式および第２ページング方式のいずれか１つのページング方式を含み、
ここで、前記第１ページング方式とは、コアネットワーク機器がアクセスネットワーク機器をトリガしてページングメッセージを配信し、ページングされた端末機器がシステムアーキテクチャ進化一時的移動加入者アイデンティティ（Ｓ−ＴＭＳＩ）を介して識別することを指し、前記第２ページング方式とは、コアネットワーク機器がアクセスネットワーク機器をトリガしてページングメッセージを配信し、ページングされた端末機器がページング指示（ＰＩ）を介して識別することを指す。
【００７１】
本発明の実施例では、前記生成ユニット５１０はプロセッサによって実現されることができ、前記送信ユニット５２０はトランシーバによって実現されることができる。図６に示されたように、ネットワーク機器６００は、プロセッサ６１０、トランシーバ６２０およびメモリ６３０を含み得る。ここで、メモリ６３０は、指示情報を記憶するように構成されてもよく、プロセッサ６１０によって実行されるコード、命令などを記憶するように構成されてもよい。ネットワーク機器６００における各構成要素は、バスシステムにより接続され、ここで、バスシステムは、データバスに加えて、電力バス、制御バス、および状態信号バスを含む。
【００７２】
図６に示されたネットワーク機器６００は、前記方法の実施例におけるネットワーク機器によって実現される各プロセスを実現することができ、繰り返しを避けるために、ここでは繰り返さない。
【００７３】
実現プロセスにおいて、本発明の実施例における方法の実施例の各ステップは、プロセッサにおけるハードウェアの集積論理回路またはソフトウェアの形の命令を介して完了されることができる。より具体的に、本発明の実施例と組み合わせて開示された方法のステップは、ハードウェア復号化プロセッサに直接に具現されて実行し、または復号化プロセッサ中のハードウェアおよびソフトウェアモジュールの組み合わせによって実行して完了されてもよい。ソフトウェアモジュールは、ランダムメモリ、フラッシュメモリ、読み取り専用メモリ、プログラム可能な読み取り専用メモリまたは電気的に消去可能なプログラマブルメモリ、レジスタ等の当技術分野の熟知する記憶媒体に配置されてもよい。前記記憶媒体はメモリ内に配置され、プロセッサはメモリ内の情報を読み取り、そのハードウェアと組み合わせて前記方法のステップを完了する。
【００７４】
ここで、プロセッサは、信号処理能力を備えた集積回路チップであってもよく、本発明の実施例で開示された各方法、ステップ、および論理ブロック図を実現または実行することができる。例えば、前述したプロセッサは、汎用プロセッサ、デジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）または他のプログラマブルロジックデバイス、トランジスタロジックデバイス、ディスクリートハードウェアコンポーネントなどであってもよい。さらに、汎用プロセッサはマイクロプロセッサであってもよく、または前記プロセッサは任意の従来のプロセッサなどであってもよい。
【００７５】
加えて、本発明の実施例において、メモリは、揮発性メモリまたは不揮発性メモリであってもよく、または揮発性と不揮発性メモリの両方を含んでもよい。ここで、不揮発性メモリは、読み取り専用メモリ（ＲＯＭ：ｒｅａｄ−ｏｎｌｙ  ｍｅｍｏｒｙ）、プログラム可能な読み取り専用メモリ（ＰＲＯＭ：ｐｒｏｇｒａｍｍａｂｌｅ  ＲＯＭ）、消去可能なプログラム可能な読み取り専用メモリ（ＥＰＲＯＭ：ｅｒａｓａｂｌｅ  ＰＲＯＭ）、電気的に消去可能なプログラム可能な読み取り専用メモリ（ＥＥＰＲＯＭ：ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：ｒａｎｄｏｍ  ａｃｃｅｓｓ  ｍｅｍｏｒｙ）であってもよい。前記メモリは、例示的であるが制限的な説明ではなく、例えば、本発明の実施例におけるメモリは、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）等であってもよいことを理解されたい。即ち、本明細書で説明されるシステムおよび方法のメモリは、これらおよび任意の他の適切なタイプのメモリを含むことが意図されているが、これらに限定されない。
【００７６】
最後に、本発明の実施例および添付の特許請求の範囲で使用された用語は特定の実施例のみを説明するためのものであり、本発明の実施例を限定するものではないことに留意されたい。
【００７７】
例えば、本発明の実施例および添付の特許請求の範囲で使用された単数形の「１つ」、「前記」および「当該」は、文脈が他の意味を明確に示さない限り、複数形も含むものとする。
【００７８】
当業者は、本明細書で開示される実施例と組み合わせて説明された各例示のユニットおよびアルゴリズムステップは、電子ハードウェア、またはコンピュータソフトウェアと電子ハードウェアの組み合わせによって実現することができることを理解するであろう。これらの機能がハードウェアの形態で実行されるかソフトウェアの形で実行されるかは、技術的解決策の特定のアプリケーションと設計上の制約条件に依存する。専門技術者は、特定のアプリケーションごとに対して、異なる方法を使用して説明された機能を実現することができるが、このような実現は本発明の実施例の範囲を超えると見なされるべきではない。
【００７９】
当業者は、説明の便宜上および簡潔にするために、上記に説明されたシステム、装置およびユニットの具体的な作業プロセスは、前述方法の実施例における対応するプロセスを参照することができることを明確に理解することができ、ここでは繰り返さない。
【００８０】
本出願で提供されるいくつかの実施例では、開示されたシステム、装置および方法は、他の方法で実現されることができることを理解されたい。例えば、上記で説明された装置実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された相互結合または直接結合または通信接続は、電気的、機械的または他の形態の一部のインターフェース、装置またはユニットを介した関節結合または通信接続であり得る。
【００８１】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際の必要に応じて、その中の一部または全部ユニットを選択して本発明の実施例の目的を実現することができる。
【００８２】
なお、本発明の実施例における各機能ユニットは１つの処理ユニットに統合されてもよく、または各ユニットが物理的に別々に存在してもよく、２つまたは２つ以上のユニットを１つのユニットに統合してもよい。
【００８３】
ソフトウェア機能ユニットの形で実現され、スタンドアロン製品として販売または使用される場合、コンピュータ読み取り可能な記憶媒体に記憶されることができる。このような理解に基づいて、本発明の実施例の技術的解決策は、本質的にまたは先行技術に対して寄与する部分または前記技術的解決策の一部は、ソフトウェア製品の形で具現されることができ、前記コンピュータソフトウェア製品は、１つの記憶媒体に記憶され、コンピュータ機器（パーソナルコンピュータ、サーバ、またはネットワーク機器等であり得る）に本発明の実施例に記載の方法の全部または一部のステップを実行させるためのいくつかの命令を含む。前述した記憶媒体は、Ｕディスク、モバイルハードディスク、読み取り専用メモリ、ランダムアクセスメモリ、磁気ディスクまたは光ディスク等のプログラムコードを記憶することができる様々な媒体を含む。
【００８４】
上記の内容は、本発明の実施例の具体的な実施形態に過ぎないが、本発明の実施例の保護範囲はこれに限定されず、当業者は、本発明の実施例に開示された技術的範囲内で容易に想到し得る変更または置換は、すべて本発明の実施例の保護範囲内に含まれるべきである。したがって、本発明の実施例の保護範囲は、特許請求の範囲の保護範囲に従うものとする。
【図１】
2021516483.tif 000003
【図２】
2021516483.tif 000004
【図３】
2021516483.tif 000005
【図４】
2021516483.tif 000006
【図５】
2021516483.tif 000007
【図６】
2021516483.tif 000008
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
ページング方法であって、
端末機器が、ネットワーク機器によって送信された指示情報を受信することであって、前記指示情報は、前記端末機器の現在のセルによって使用されるページング方式を指示するために使用されることと、
前記端末機器が前記指示情報に従って、ページングメッセージを取得することとを含むことを特徴とする、前記ページング方法。
【請求項２】
前記端末機器がネットワーク機器によって送信された指示情報を受信することは、
前記端末機器が前記ネットワーク機器によって送信されたシステム情報を受信することであって、前記システム情報は前記指示情報を含むことを含むことを特徴とする、
請求項１に記載のページング方法。
【請求項３】
前記端末機器がネットワーク機器によって送信された指示情報を受信することは、
前記端末機器が前記ネットワーク機器によって送信されたページング−無線ネットワーク一時識別子（Ｐ−ＲＮＴＩ）を使用してスクランブルされた物理ダウンリンク制御チャネル（ＰＤＣＣＨ）を受信することであって、前記ＰＤＣＣＨは前記指示情報を含むことを含むことを特徴とする、
請求項１に記載のページング方法。
【請求項４】
前記ＰＤＣＣＨは、前記ページングメッセージのスケジューリング情報をさらに含むことを特徴とする、
請求項３に記載のページング方法。
【請求項５】
前記端末機器がネットワーク機器によって送信された指示情報を受信することは、
前記端末機器が前記ネットワーク機器によって送信された第１メッセージを受信することを含み、前記第１メッセージは、前記指示情報および前記ページングメッセージを含み、
前記端末機器が前記指示情報に従って、ページングメッセージを取得することは、
前記端末機器が前記指示情報に従って、前記第１メッセージにおける前記ページングメッセージを取得することを含むことを特徴とする、
請求項１に記載のページング方法。
【請求項６】
前記ページング方式は、
第１ページング方式および第２ページング方式のいずれか１つのページング方式を含み、
前記第１ページング方式とは、コアネットワーク機器がアクセスネットワーク機器をトリガしてページングメッセージを配信し、ページングされた端末機器がシステムアーキテクチャ進化一時的移動加入者アイデンティティ（Ｓ−ＴＭＳＩ）を介して識別することを指し、前記第２ページング方式とは、コアネットワーク機器がアクセスネットワーク機器をトリガしてページングメッセージを配信し、ページングされた端末機器がページング指示（ＰＩ）を介して識別することを指すことを特徴とする、
請求項１ないし５のいずれか一項に記載のページング方法。
【請求項７】
ページング方法であって、
ネットワーク機器が指示情報を生成することであって、前記指示情報は、端末機器の現在のセルによって使用されるページング方式を指示するために使用されることと、
前記端末機器が前記指示情報に従って、ページングメッセージを取得するように、前記ネットワーク機器が前記端末機器に前記指示情報を送信することとを含むことを特徴とする、前記ページング方法。
【請求項８】
前記ネットワーク機器が前記端末機器に前記指示情報を送信することは、
前記ネットワーク機器が前記端末機器にシステム情報を送信することであって、前記システム情報は前記指示情報を含むことを含むことを特徴とする、
請求項７に記載のページング方法。
【請求項９】
前記ネットワーク機器が前記端末機器に前記指示情報を送信することは、
前記ネットワーク機器が、前記端末機器にページング−無線ネットワーク一時識別子（Ｐ−ＲＮＴＩ）を使用してスクランブルされた物理ダウンリンク制御チャネル（ＰＤＣＣＨ）を送信することであって、前記ＰＤＣＣＨは前記指示情報を含むことを含むことを特徴とする、
請求項７に記載のページング方法。
【請求項１０】
前記ＰＤＣＣＨは、前記ページングメッセージのスケジューリング情報をさらに含むことを特徴とする、
請求項９に記載のページング方法。
【請求項１１】
前記スケジューリング情報は、前記ＰＤＳＣＨにおけるページングメッセージのリソース位置を指示するために使用されることを特徴とする、
請求項１０に記載の方法。
【請求項１２】
前記ネットワーク機器が前記端末機器に前記指示情報を送信することは、
前記端末機器が前記指示情報に従って、第１メッセージにおける前記ページングメッセージを取得するように、前記ネットワーク機器が前記端末機器に第１メッセージを送信することであって、前記第１メッセージは、前記指示情報および前記ページングメッセージを含むことを含むことを特徴とする、
請求項７に記載のページング方法。
【請求項１３】
前記ページング方式は、
第１ページング方式および第２ページング方式のいずれか１つのページング方式を含み、
前記第１ページング方式とは、コアネットワーク機器がアクセスネットワーク機器をトリガしてページングメッセージを配信し、ページングされた端末機器がシステムアーキテクチャ進化一時的移動加入者アイデンティティ（Ｓ−ＴＭＳＩ）を介して識別することを指し、前記第２ページング方式とは、コアネットワーク機器がアクセスネットワーク機器をトリガしてページングメッセージを配信し、ページングされた端末機器がページング指示（ＰＩ）を介して識別することを指すことを特徴とする、
請求項７ないし１２のいずれか一項に記載のページング方法。
【請求項１４】
請求項１ないし６のいずれか１項に記載のページング方法を実施するための端末機器。
【請求項１５】
請求項７ないし１３のいずれか１項に記載のページング方法を実施するためのネットワーク機器。
【国際調査報告】
2021516483.tif 000009
2021516483.tif 000010
2021516483.tif 000011
2021516483.tif 000012